(57)【要約】【課題】浴槽への湯張り動作時の換気連動運転の開始と停止を自動的に行うことで、使い勝手の向上を図る。【解決手段】浴槽１９と、給湯用熱交換器１０及び注湯電磁弁１２を有した熱源機９と、熱源機リモコン１と、浴槽９に湯張りを指示する自動スイッチ２０と、前記熱源機リモコン１と通信する熱源機リモコン通信手段５と、浴室９を換気する浴室暖房機３と、該浴室暖房機３と通信する浴室暖房機リモコン通信手段６と、自動スイッチ２０の操作に連動し浴室暖房機３の運転を指示する換気運転連動手段７と、前記熱源機リモコン通信手段６により前記自動スイッチ２０のオン・オフを判定する自動スイッチ判定手段３１と、前記自動スイッチ２０により湯張り時に浴槽内の湯を所定時間保温させる保温手段と、前記保温の終了を判定する保温時間判定手段３７を備えた構成としてある。【選択図】  図１
2004347193.tif 000002
【特許請求の範囲】
【請求項１】
浴槽と、給湯用熱交換器及び注湯電磁弁を有した熱源機と、前記熱源機を操作する熱源機リモコンと、前記熱源機リモコンに設けられ前記浴槽に湯張りを指示する自動スイッチと、前記熱源機リモコンと通信する熱源機リモコン通信手段と、浴室を換気する浴室暖房機と、該浴室暖房機と通信する浴室暖房機リモコン通信手段と、前記熱源機リモコンのスイッチ操作に連動し前記浴室暖房機リモコン通信手段に浴室暖房機の運転を指示する換気運転連動手段と、前記熱源機リモコン通信手段により前記自動スイッチのオン・オフを判定する自動スイッチ判定手段と、前記自動スイッチにより湯張り時に浴槽内の湯を所定時間保温させる保温手段と、前記保温の終了を判定する保温時間判定手段を備えた給湯器の制御装置。
【請求項２】
熱源機リモコン内に換気運転連動手段を有効にするか無効にするかを選択する換気運転連動切換スイッチと、熱源機リモコン通信手段により換気運転連動切換スイッチのオン・オフ判定を行う換気運転連動切換スイッチ判定手段を備えた請求項１記載の制御装置。
【請求項３】
熱源機リモコン内に換気運転連動時間を設定する換気運転連動時間切換スイッチと、熱源機リモコン通信手段により換気運転連動時間の終了を判定する換気運転連動時間判定手段を備えた請求項１記載の制御装置。
【請求項４】
吸気温度を検出する吸気温度センサーと、吸気温度センサーより時季を判定する吸気温度検出手段を備えた請求項１記載の制御装置。
【請求項５】
給水温度を検出する入水温度センサーと、入水温度センサーより時季を判定する入水温度検出手段を備えた請求項１記載の制御装置。
【請求項６】
換気運転の必要性を決定する複数の条件より換気運転連動手段を有効にするか無効にするかを判断する換気運転連動切換判定手段を備えた請求項１記載の制御装置。
【発明の詳細な説明】
【０００１】
【発明の属する技術分野】
本発明は、主として家庭用給湯器の制御装置に関し、特に湯張り時における換気運転連動制御に関するものである。
【０００２】
【従来の技術】
従来の浴室暖房システムにおいては、風呂運転に連動して、浴室乾燥機を作動させたり、浴室床暖房器の暖房運転を行なわせたりする機能を有したものがあった（例えば特許文献１参照）。
【０００３】
【特許文献１】
特開２００２−１２２３３２号公報
【０００４】
【発明が解決しようとする課題】
しかしながら、風呂運転に連動して浴室乾燥機や浴室床暖房器の暖房運転を行なわせるだけでは、夏季等の暑い時期には使用できない。また、浴室を換気する際には、熱源機リモコンのふろスイッチと浴室暖房機リモコンの換気スイッチが別々に存在するため、風呂運転スイッチと、別に浴室暖房リモコンの換気スイッチを押下する必要がある。また浴室乾燥機の換気運転を停止する際にも、浴室暖房リモコンの換気スイッチを再度押下する必要があり操作性が悪く使用者の手を煩わせるという課題があった。
【０００５】
本発明は上記課題を解決するもので、浴室乾燥機の運転の換気運転操作をすることなく、夏季等の暑い時期でも浴室暖房機の換気運転を自動湯張りや、浴槽温度を保温する保温時間終了等を検出することによって、使用者の手を煩わせることなく浴室の換気運転を開始、停止することができるようにすることを目的とする。
【０００６】
【課題を解決するための手段】
上記目的を達成するため本発明の給湯器の制御装置は、浴槽と、給湯用熱交換器及び注湯電磁弁を有した熱源機と、前記熱源機を操作する熱源機リモコンと、前記熱源機リモコンに設けられ前記浴槽に湯張りを指示する自動スイッチと、前記熱源機リモコンと通信する熱源機リモコン通信手段と、浴室を換気する浴室暖房機と、該浴室暖房機と通信する浴室暖房機リモコン通信手段と、前記熱源機リモコンのスイッチ操作に連動し前記浴室暖房機リモコン通信手段に浴室暖房機の運転を指示する換気運転連動手段と、前記熱源機リモコン通信手段により前記自動スイッチのオン・オフを判定する自動スイッチ判定手段と、前記自動スイッチにより湯張り時に浴槽内の湯を所定時間保温させる保温手段と、前記保温の終了を判定する保温時間判定手段を備えた構成としてある。
【０００７】
上記発明によれば、浴室乾燥機の運転の換気運転操作をすることなく、夏季等の暑い時期でも浴室暖房機の換気運転を自動湯張りや、浴槽温度を保温する保温時間終了等を検出することによって、使用者の手を煩わせることなく浴室の換気運転を開始、停止することができる。
【０００８】
【発明の実施の形態】
本発明の請求項１記載の発明は、浴槽と、給湯用熱交換器及び注湯電磁弁を有した熱源機と、前記熱源機を操作する熱源機リモコンと、前記熱源機リモコンに設けられ前記浴槽に湯張りを指示する自動スイッチと、前記熱源機リモコンと通信する熱源機リモコン通信手段と、浴室を換気する浴室暖房機と、該浴室暖房機と通信する浴室暖房機リモコン通信手段と、前記熱源機リモコンのスイッチ操作に連動し前記浴室暖房機リモコン通信手段に浴室暖房機の運転を指示する換気運転連動手段と、前記熱源機リモコン通信手段により前記自動スイッチのオン・オフを判定する自動スイッチ判定手段と、前記自動スイッチにより湯張り時に浴槽内の湯を所定時間保温させる保温手段と、前記保温の終了を判定する保温時間判定手段を備えたことを特徴としたものである。
【０００９】
そして、熱源機リモコンの自動スイッチにより湯張りが指示されると、この湯張り動作に連動して浴室暖房機の換気運転が開始され、湯張り動作完了後の保温動作経過時間が過ぎると、自動的に換気運転を停止することができるため、使用者の手を煩わせることなく、浴室暖房機の換気運転の開始や終了することができる。
【００１０】
また、請求項２記載の発明は、熱源機リモコン内に換気運転連動手段を有効にするか無効にするかを選択する換気運転連動切換スイッチと、熱源機リモコン通信手段により換気運転連動切換スイッチのオン・オフ判定を行う換気運転連動切換スイッチ判定手段を備えたことを特徴としたものである。
【００１１】
また、請求項３記載の発明は、熱源機リモコン内に換気運転連動時間を設定する換気運転連動時間切換スイッチと、熱源機リモコン通信手段により換気運転連動時間の終了を判定する換気運転連動時間判定手段を備えたことを特徴としたものである。
【００１２】
また、請求項４記載の発明は、吸気温度を検出する吸気温度センサーと、吸気温度センサーより時季を判定する吸気温度検出手段を備えたことを特徴としたものである。
【００１３】
また、請求項５記載の発明は、給水温度を検出する入水温度センサーと、入水温度センサーより時季を判定する入水温度検出手段を備えたことを特徴としたものである。
【００１４】
また、請求項６記載の発明は、換気運転の必要性を決定する複数の条件より換気運転連動手段を有効にするか無効にするかを判断する換気運転連動切換判定手段を備えたことを特徴としたものである。
【００１５】
【実施例】
以下、本発明の給湯器の制御装置における実施例について説明する。
【００１６】
（実施例１）
図１、図２は本発明の実施例１の給湯器の構成図、図３は換気運転連動手段のフローチャートである。
【００１７】
図において、１は熱源機リモコンで、熱源機９と通信を行い自動湯張り等の操作指示を行うものである。２は浴室暖房機リモコンで、浴室の暖房および換気を行う浴室暖房機３と通信を行い暖房、換気の操作指示を行うものである。４は熱源機制御手段で、熱源機リモコン通信手段５と浴室暖房機通信手段６と換気運転連動手段７で構成し、前記熱源機リモコン１との通信を熱源機リモコン通信手段５で行い、前記浴室暖房機３との通信を浴室暖房機通信手段６で行う。そして、換気運転連動手段７は浴室暖房機３が熱源機制御手段４と接続されている場合に、浴室暖房機３の換気運転を行うか、停止させるかの判断を行い、浴室暖房機通信手段６を介して浴室暖房機３に指示する。
【００１８】
８は浴室暖房機制御装置で浴室暖房機リモコン２との通信や熱源機９との通信を行い、暖房運転の指示を送信したり、熱源機９から換気運転の指示を受信したりする。
【００１９】
１０は給湯熱交換器、１１はふろ熱交換器で循環ポンプ１６より供給される循環水を加熱する。１２は注湯電磁弁で給湯熱交換器１０から浴槽１９へ湯張りを行うとき開弁し、湯張り完了後閉弁する。２０は熱源機リモコン１に設けた自動スイッチで、浴槽１９への自動湯張り指示を行う。３１は前記換気運転連動判定手段７に設けた自動スイッチ判定手段で、熱源機リモコン１の自動スイッチ２０のオン・オフの検出を行うと共に、浴室暖房機３を運転させるか否かの判断を行う。
【００２０】
次に、本実施例の動作について説明する。熱源機リモコン１の自動スイッチ２０をオンすると浴槽１９への湯張り動作を開始する。この際、自動スイッチ判定手段３１により自動スイッチ２０がオンされたことを検出すると、換気運転連動手段７が浴室暖房機３を接続していると認識している場合に、換気運転開始の指示を浴室暖房機通信手段６を介して浴室暖房機制御装置８に通信する。浴室暖房機制御装置８は浴室暖房機リモコン２に換気運転開始の指示を出し、浴室暖房機３の換気運転を開始させる。このようにすることで使用者は、浴室暖房機リモコン２の操作をせずに熱源機リモコン１の自動スイッチ２０を操作するだけで、浴室暖房機３の換気運転を開始することができる。
【００２１】
また、自動スイッチ２０の操作により浴槽１９への湯張り動作が完了すると、熱源機リモコン１の設定温度に浴槽１９の温度を保温しておく。保温する時間は、熱源機リモコン１により設定できる（例えば、０、１、２、３、４、６、７、８時間）。
【００２２】
前記自動スイッチ判定手段３１により浴室暖房機３の換気運転を開始させた場合には、保温時間判定手段３７が保温時間の経過を検出すると、換気運転連動手段７が浴室暖房機３を接続していると認識している場合に、換気運転停止の指示を浴室暖房機リモコン通信手段６を介して浴室暖房機制御装置８に通信する。浴室暖房機制御装置８は浴室暖房機リモコン２に換気運転停止の指示を出し、浴室暖房機３の換気運転を停止させる。このようにすることで使用者は、浴室暖房機リモコン２の操作をせずに、浴室暖房機３の換気運転を停止することができ、かつ使用者が浴室暖房機リモコン２を消し忘れた場合でもオフできるので経済的である。
【００２３】
（実施例２）
実施例２は上記実施例１に加え、換気運転連動手段７に換気運転連動切換スイッチ３５を設け、任意に換気運転の選択ができるようにしたもので、熱源機リモコン１の自動スイッチ２０のオンで浴室暖房機３の換気運転を行う場合でも、冬季のように湿度が低い場合には換気運転を連動させる必要がなく、使用者が換気運転連動が必要ないと判断した場合は、上記熱源機リモコン１の換気運転連動切換スイッチ３５を操作することにより、換気運転を停止させることができる。また、途中で必要と判断した場合、換気運転連動切換スイッチ３５を切り替えることで、再度換気運転を行うことができる。
【００２４】
このように、換気運転連動切換スイッチ３５の操作で換気運転連動手段７が浴室暖房運転開始の指示を出すか否かの判断を行い、必要な時だけ浴室暖房機３の換気運転連動を行うことができるものである。
【００２５】
（実施例３）
実施例３は上記実施例１に加え、換気運転連動手段７に換気運転連動時間判定手段３６を設け、換気運転連動時間スイッチ２５により設定された時間だけ換気運転を行うようにしたもので、換気運転連動手段７が浴室暖房機３が接続されていると認識し、浴室暖房運転開始の指示を出して浴室暖房機３の換気運転をしている場合、熱源機リモコン１の換気運転連動時間スイッチ２５により換気運転連動させる時間を設定してあると、換気運転連動時間判定手段３６により、換気運転が設定時間以上の運転を検出すると、換気運転停止の指示を浴室暖房機リモコン通信手段６を介して浴室暖房機制御装置８に通信する。浴室暖房機制御装置８は浴室暖房機リモコン２に換気運転停止の指示を出し、浴室暖房機３の換気運転を停止させる。
【００２６】
このようにすることで使用者は、浴室暖房機リモコン２の換気オフ操作をせずに、浴室暖房機３の換気運転を停止することができ、かつ使用者が浴室暖房機リモコン２を消し忘れた場合でもオフできるので経済的である。
【００２７】
（実施例４）
実施例４は上記実施例１に加え、外気温度を検出する吸気温度検出手段２９を設け、この検出された温度に基づき夏季か冬季かを判断し、換気運転を連動させるか否かを判断するようにしたもので、熱源機リモコン１の自動スイッチ２０のオンで浴室暖房機３の換気運転を行う場合でも、冬季の場合には換気運転連動させる必要はない。したがって夏季か否かの判定を吸気温度検出手段２９により行い、換気運転連動手段７が浴室暖房運転開始の指示を出すか否かの判断を行うことで、使用者の手を煩わせることなく、必要な時だけ浴室暖房機３の換気運転連動を行うことができる。
【００２８】
（実施例５）
実施例５は上記実施例１に加え、入水温度を検出する入水温度検出手段２８を設け、この検出された温度に基づき夏季か冬季かを判断し、換気運転を連動させるか否かを判断するようにしたもので、熱源機リモコン１の自動スイッチ２０のオンで浴室暖房機３の換気運転を行う場合でも、冬季の場合には暖房運転連動させる必要はない。したがって夏季か否かの判定を入水温度検出手段２８により行い、換気運転連動手段７が浴室暖房運転開始の指示を出すか否かの判断を行うことで、使用者の手を煩わせることなく、必要な時だけ浴室暖房機３の換気運転連動を行うことができる。
【００２９】
（実施例６）
実施例６は換気運転が必要か否かを決定する複数の条件より換気運転連動手段７を有効にするか、無効にするかを判断する換気運転連動切換判定手段３８を設け、複数の条件より換気運転の必要性を自動的に判断するようにしたもので、熱源機リモコン１の自動スイッチ２０のオンで浴室暖房機３の換気運転を行う場合でも、冬季の場合には換気運転を連動させる必要はないが、換気運転連動切換スイッチ２４の操作信号、外気温度、入水温度等の換気運転に関連する複数の条件より換気運転の必要性を判断し、この判断結果に基づいて熱源機９の換気運転連動切換判定手段３８の切換を行うことにより、換気運転連動手段７が浴室暖房運転開始の指示を出すか否かの判断を行うことで、必要な時だけ浴室暖房機３の換気運転連動を行うようにしたある。
【００３０】
【発明の効果】
以上の説明から明らかなように本発明によれば、使用者は、浴室暖房機リモコンの操作をせずに、自動湯張り操作だけで、換気運転を開始することができ、自動運転の保温が終了すると浴室暖房機の換気運転を停止することができるので、使用者が浴室暖房機リモコンを消し忘れた場合でも換気運転を停止することができるので経済的でるある。
【００３１】
また、熱源機リモコンに換気運転連動切換スイッチを設けることで、使用者が必要な時だけ浴室暖房機の換気運転連動を行うことができる。
【００３２】
また、使用者は、熱源機リモコンで換気運転連動時間設定することで、浴室暖房機リモコンの暖房オフ操作をせずに、所定時間経過すると浴室暖房機の換気運転を停止することができるので、使用者が浴室暖房機リモコンを消し忘れた場合でも換気運転を停止することができるので経済的でるある。
【００３３】
また、吸気温度センサーにより換気運転連動をする季節を特定することで、使用者の手を煩わせることなく必要な季節にだけ浴室暖房機の換気運転連動を行うができる。
【００３４】
また、入水温度センサーにより換気運転連動をする季節を特定することで、使用者の手を煩わせることなく必要な季節だけ浴室暖房機の換気運転連動を行うことができる。
【００３５】
また、熱源機に換気運転連動切換判定手段を設けることで、換気の必要性を自動的に判断し、必要な時だけ浴室暖房機の換気運転連動を行うことができる。
【図面の簡単な説明】
【図１】本発明の実施例を示す給湯器の制御装置の構成図
【図２】同制御装置の熱源機制御手段の詳細を示すブロック図
【図３】同制御装置の換気運転連動手段の制御フローチャート
【符号の説明】
１  熱源機リモコン
２  浴室暖房機リモコン
３  浴室暖房機
５  熱源機リモコン通信手段
６  浴室暖房機リモコン通信手段
７  換気運転連動手段
１０  給湯熱交換器
１１  ふろ熱交換器
１２  注湯電磁弁
１４  吸気温度センサー
１５  入水温度センサー
１６  循環ポンプ
２０  自動スイッチ
２４  換気運転連動切換スイッチ
２５  換気運転連動時間スイッチ
２８  入水温度検出手段
２９  吸気温度検出手段
３１  自動スイッチ判定手段
３５  換気運転連動切換スイッチ判定手段
３６  換気運転連動時間判定手段
３７  保温時間判定手段
３８  換気運転連動切換判定手段
【図１】
2004347193.tif 000003
【図２】
2004347193.tif 000004
【図３】
2004347193.tif 000005